(57)【要約】【課題】無電極ランプから出射される光がネジ止めのための取付構造によって極力遮られることなく、ムラなく照度を上げることができるようにする。【解決手段】中央に凸状の反射板２２が設けられた照明カバー２０に無電極ランプ１０をネジ止めするようになされた照明装置において、照明カバー２０が、反射板２２から離れた位置の反射面に立設されたネジ止めのための取付構造２３を備える一方、無電極ランプ１０の発光体１１にネジ止めされるコイル部１２が、自身を照明カバー２０の取付構造２３にネジ止めするための第２の取付構造１２ｂを備え、発光体１１から光が出射されない部分に当たるコイル部１２に第２の取付構造１２ｂを設ける構造とすることにより、発光体１１から出射される光が取付構造２３や第２の取付構造１２ｂによって極力遮られることなく、ムラなく照度を上げることができるようにする。【選択図】図１
2017123228.tif 000002
【特許請求の範囲】
【請求項１】
中央に凸状の反射板が設けられた照明カバーに無電極ランプをネジ止めによって固定するようになされた照明装置であって、
上記照明カバーは、
上記中央に設けられた上記反射板を反射面の一部として含み、当該反射面の横断面形状が略椀状を成す反射部と、
上記凸状の反射板から離れた位置の反射面に立設されたネジ止めのための取付構造とを備え、
上記無電極ランプは、発光体と、当該発光体にネジ止めされるコイル部とを備え、
上記コイル部は、自身を上記発光体にネジ止めするための第１の取付構造と、自身を上記反射部の取付構造にネジ止めするための第２の取付構造とを備えたことを特徴とする照明装置。
【請求項２】
上記第１の取付構造は、円環状を成す上記コイル部の外周面に一対として立設された第１の板状足部にネジ穴を設けた構造を有し、
上記第２の取付構造は、上記第１の板状足部が立設された外周面の位置から円周に沿って所定角度変位した位置の外周面に設けられ、上記第１の板状足部が立設された外周面よりも外側まで延設された第２の板状足部の先端にネジ穴を設けた構造を有し、
上記第１の板状足部および上記第２の板状足部は、上記コイル部の同じ方向に向けて設けられていることを特徴とする請求項１に記載の照明装置。
【請求項３】
上記第２の板状足部が備えるネジ穴の位置が、上記第１の板状足部が備えるネジ穴の位置よりも、上記コイル部の外周面からみて更に外側となるように構成されていることを特徴とする請求項２に記載の照明装置。
【発明の詳細な説明】
【技術分野】
【０００１】
本発明は照明装置に関し、特に、反射板を備えた照明カバーを光源に取り付けて成る照明装置に用いて好適なものである。
【背景技術】
【０００２】
従来、光源から出射される光を反射させて所定方向に対する照度を上げることを目的として、反射板を備えた照明カバーを光源の周囲に設けた照明装置が知られている（例えば、特許文献１，２参照）。
【０００３】
特許文献１に記載の照明器具は、天井面に直に取付けられる取付けベースに連結される反射板を備えている。この反射板は、上向きに凸となる断面円弧状の一対の反射部を幅方向に連ねて構成されており、幅方向中央部に、下方に向かうに従い次第に先細となる中央凸部を有する。そして、２本の蛍光ランプが、反射板の幅方向両端部（中央凸部を挟んで両側）にそれぞれ取り付けられる。
【０００４】
特許文献２の蛍光灯照明装置は、水平に配置されて部屋の天井に取り付けられる照明装置本体と、照明装置本体内に取り付けられた反射器と、反射器の内側に位置させた状態で平行に配置された直管形の２本の蛍光灯とを備える。反射器は、２本の蛍光灯のそれぞれに対して専用に設けられて下端が開口した２個の反射鏡からなっている。当該２個の反射鏡は、２本の蛍光灯間を２分する位置に、両蛍光灯と平行に伸びる鉛直面に対して対称な断面形状を有している。
【０００５】
ところで、照明装置の一種として、無電極ランプと呼ばれるものが存在する。無電極ランプは、内部構造に電極を持たない照明装置であり、長寿命・省電力という優れた特徴を持つ。そのため、故障時の修理・交換が困難な場所など、保守管理費用の高い場所での利用に向いている。例えば、ホール、会議室、体育館、工場、運動場、トンネル、景観照明といった場所に適用されることが多い。
【０００６】
無電極ランプは、高周波インバータ、誘導コイルおよび発光体を備えて構成される。そして、高周波インバータの作用により誘導コイルから高周波磁界を発生させ、この磁界によって生じる電磁誘導により、電球内の水銀ガスを励起して紫外線を発生させる。この発生した紫外線により電球内壁の蛍光粉が励起されることにより、可視光線が生じる仕組みである。
【先行技術文献】
【特許文献】
【０００７】
【特許文献１】特開平６−１３１９０５号公報
【特許文献２】実公平７−１９０４４号公報
【発明の概要】
【発明が解決しようとする課題】
【０００８】
無電極ランプは、一般家庭用の蛍光灯に比べて重量が重い。そのため、一般家庭用の照明カバーが備えるフックのような軽微な取付具ではなく、ねじ止めによって無電極ランプを照明カバーに堅牢に固定する構造をとるのが一般的である。
【０００９】
しかしながら、ネジ止めのための取付構造は、無電極ランプから出射された光を遮って影を作る遮蔽物となり得る。そのため、特許文献１，２のように、照明カバーの中央に凸状の反射板を設けて照度を上げようとしても、ネジ止めのための取付構造によって光が遮られる方向が生じると、その方向に対しては照度を十分に上げることができないという問題が生じる。
【００１０】
本発明は、このような問題を解決するために成されたものであり、中央に凸状の反射板が設けられた照明カバーに無電極ランプをネジ止めによって固定するようになされた照明装置において、無電極ランプから出射される光がネジ止めのための取付構造によって極力遮られることなく、ムラなく照度を上げることができるようにすることを目的とする。
【課題を解決するための手段】
【００１１】
上記した課題を解決するために、本発明では、中央に凸状の反射板が設けられた照明カバーに無電極ランプをネジ止めによって固定するようになされた照明装置において、照明カバーが、凸状の反射板から離れた位置の反射面に立設されたネジ止めのための取付構造を備える一方、無電極ランプの発光体にネジ止めされるコイル部が、自身を発光体にネジ止めするための第１の取付構造と、自身を照明カバーの取付構造にネジ止めするための第２の取付構造とを備えている。
【発明の効果】
【００１２】
上記のように構成した本発明によれば、無電極ランプの発光体から光が出射されない部分に当たるコイル部に第２の取付構造が設けられ、これが照明カバーの取付構造にネジ止めされることによって、無電極ランプが照明カバーに取り付けられる。つまり、元々光が出射されない部分を使って無電極ランプが照明カバーにネジ止めされるので、無電極ランプから出射される光がネジ止めのための取付構造によって極力遮られることなく、ムラなく照度を上げることができる。
【図面の簡単な説明】
【００１３】
【図１】本実施形態による照明装置の構成例示す組立構成図である。
【図２】本実施形態による照明装置の構成例を示す横断面図である。
【図３】本実施形態によるコイル部の構成を示す拡大断面図である。
【発明を実施するための形態】
【００１４】
以下、本発明の一実施形態を図面に基づいて説明する。図１は、本実施形態による照明装置の構成例示す組立構成図である。また、図２は、本実施形態による照明装置の構成例を示す横断面図である。
【００１５】
図１および図２に示すように、本実施形態の照明装置は、光源としての無電極ランプ１０、照明カバー２０およびガラスカバー３０を備えて構成されている。
【００１６】
無電極ランプ１０は、円環状の発光体１１と、当該発光体１１にネジ止めされるコイル部１２とを備えている。コイル部１２は、円環状の発光体１１の対角位置に２つ設けられている。このコイル部１２は、自身を発光体１１にネジ止めするための第１の取付構造１２ａと、自身を照明カバー２０の反射部２１に立設された取付構造２３にネジ止めするための第２の取付構造１２ｂとを備えている。
【００１７】
図３は、コイル部１２の構成を示す拡大断面図である。図３に示すように、第１の取付構造１２ａは、円環状を成すコイル部１２の外周面に一対として立設された第１の板状足部３１，３１にネジ穴３２，３２を設けた構造を有している。一対の第１の板状足部３１，３１は、互いに対向する位置に設けられており、それぞれのネジ穴３２，３２に１本のネジを通して締めるようになされている。
【００１８】
また、第２の取付構造１２ｂは、円環状を成すコイル部１２の外周面に設けられている。第２の取付構造１２ｂが設けられる外周面の位置は、第１の板状足部３１，３１が立設された位置から円周に沿って上向きに所定角度（図３の例では９０度であるが、この角度に限定されない）変位した位置である。第２の取付構造１２ｂは、第１の板状足部３１，３１が立設されている外周面よりも外側まで延設された第２の板状足部３３の先端にネジ穴３４を設けた構造を有している。
【００１９】
照明カバー２０は、その内側に反射部２１を備えている。反射部２１は、照明カバー２０の中央に設けられた凸状の反射板２２を反射面の一部として含んで構成されている。ここで、反射板２２は、下向きに凸となる形状を有している。また、反射部２１を構成する反射面の横断面形状は、上向きに凸となる略お椀形状を成している。
【００２０】
また、照明カバー２０は、無電極ランプ１０をネジ止めするための取付構造２３を備えている。この取付構造２３は、凸状の反射板２２を挟んで両側に、反射板２２から離れた位置の反射面に２組立設されている。この取付構造２３は、先端側にネジ穴（図示せず）を有しており、コイル部１２が備える第２の取付構造１２ｂのネジ穴３４と位置合わせされた状態で、ネジによって第２の取付構造１２ｂと螺合されるようになっている。
【００２１】
また、凸状の反射板２２から更に離れた位置の反射面には、ベース２４が２組立設されている。ベース２４は、無電極ランプ１０を照明カバー２０にネジ止めする際に、コイル部１２が備える第２の板状足部３３を位置決めするための土台のようなものであり、取付構造２３よりも長さは短くなっている。ベース２４は、ネジ穴を有していない。
【００２２】
すなわち、取付構造２３およびベース２４は、第２の板状足部３３の両端がちょうど接する位置関係となるように立設されていて、略お椀形状をした反射部２１の中央寄りに立設されている取付構造２３よりも、反射部２１の周囲寄りに立設されているベース２４の方が、長さが短くなっている。これにより、コイル部１２が備える第２の板状足部３３の両端を、取付構造２３およびベース２４に合わせるように位置決めすると、第２の板状足部３３が水平状態となるように設計されている。
【００２３】
このように、本実施形態の照明装置は、中央に凸状の反射板２２が設けられた照明カバー２０に無電極ランプ１０をネジ止めによって固定するようになされている。特に、本実施形態では、無電極ランプ１０の発光体１１から光が出射されない部分に当たるコイル部１２に第２の取付構造１２ｂが設けられ、これが照明カバー２０の取付構造２３にネジ止めされることによって、無電極ランプ１０が照明カバー２０に取り付けられる。つまり、元々光が出射されない部分を使って無電極ランプ１０が照明カバー２０にネジ止めされるので、無電極ランプ１０から出射される光がネジ止めのための取付構造２３や第２の取付構造１２ｂによって極力遮られることなく、ムラなく照度を上げることができる。
【００２４】
また、本実施形態では、コイル部１２が備える第１の板状足部３１および第２の板状足部３３は、コイル部１２の同じ方向（何れも反射板２２側）に向けて設けられている。上述のように、発光体１１から光が出射されない部分に当たるコイル部１２に第２の取付構造１２ｂが設けられているとは言っても、発光体１１の他の部分から出射された光が、取付構造２３やそれにネジ止めされる第２の板状足部３３によって全く遮られないわけではない。また、第１の取付構造１２ａは第１の板状足部３１の長さが短いとは言っても、発光体１１から出射された光が第１の板状足部３１によって全く遮られないわけではない。これに対し、本実施形態では、第１の板状足部３１と第２の板状足部３３とを同じ方向に向けて設けているので、両者を異なる方向に向けて設ける場合に比べて、遮ぎられる光を減らすことができる。
【００２５】
また、本実施形態では、第２の板状足部３３が備えるネジ穴３４の位置が、第１の板状足部３１が備えるネジ穴３２の位置よりも、円環状を成すコイル部１２の外周面からみて更に外側（反射板２２側）となるように構成されている。これにより、コイル部１２の第２の板状足部３３が備えるネジ穴３４と、照明カバー２０が備える取付構造２３のネジ穴（図示せず）とを位置合わせしてネジ止めする際に、第１の板状足部３１が作業の邪魔とならないようにすることができる。
【００２６】
なお、上記実施形態では、無電極ランプ１０を円環状の発光体１１により構成する例について説明したが、直線状の発光体を複数本平行に並べて配置した構成としてもよい。この場合、凸状の反射板は、それぞれの発光体の間の中央に設置される。
【００２７】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２８】
１０  無電極ランプ
１１  発光体
１２  コイル部
１２ａ  第１の取付構造
１２ｂ  第２の取付構造
２０  照明カバー
２１  反射部
２２  反射板
２３  取付構造
２４  ベース
３１  第１の板状足部
３２  ネジ穴
３３  第２の板状足部
３４  ネジ穴
【図１】
2017123228.tif 000003
【図２】
2017123228.tif 000004
【図３】
2017123228.tif 000005
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
中央に凸状の反射板が設けられた照明カバーに無電極ランプをネジ止めによって固定するようになされた照明装置であって、
上記照明カバーは、
上記中央に設けられた上記反射板を反射面の一部として含み、当該反射面の横断面形状が平坦な部分を有さない略椀状を成す反射部と、
上記凸状の反射板から離れた位置の略椀状の反射面に立設されたネジ止めのための取付構造とを備え、
上記無電極ランプは、発光体と、当該発光体にネジ止めされるコイル部とを備え、
上記コイル部は、自身を上記発光体にネジ止めするための第１の取付構造と、自身を上記反射部の取付構造にネジ止めするための第２の取付構造とを備えたことを特徴とする照明装置。
【請求項２】
中央に凸状の反射板が設けられた照明カバーに無電極ランプをネジ止めによって固定するようになされた照明装置であって、
上記照明カバーは、
上記中央に設けられた上記反射板を反射面の一部として含み、当該反射面の横断面形状が略椀状を成す反射部と、
上記凸状の反射板から離れた位置の反射面に立設されたネジ止めのための取付構造とを備え、
上記無電極ランプは、発光体と、当該発光体にネジ止めされるコイル部とを備え、
上記コイル部は、自身を上記発光体にネジ止めするための第１の取付構造と、自身を上記反射部の取付構造にネジ止めするための第２の取付構造とを備え、
上記第１の取付構造は、円環状を成す上記コイル部の外周面に一対として立設された第１の板状足部にネジ穴を設けた構造を有し、
上記第２の取付構造は、上記第１の板状足部が立設された外周面の位置から円周に沿って所定角度変位した位置の外周面に設けられ、上記第１の板状足部が立設された外周面よりも外側まで延設された第２の板状足部の先端にネジ穴を設けた構造を有し、
上記第１の板状足部および上記第２の板状足部は、上記コイル部の同じ方向に向けて設けられていることを特徴とする照明装置。
【請求項３】
上記第２の板状足部が備えるネジ穴の位置が、上記第１の板状足部が備えるネジ穴の位置よりも、上記コイル部の外周面からみて更に外側となるように構成されていることを特徴とする請求項２に記載の照明装置。
【手続補正２】
【補正対象書類名】明細書
【補正対象項目名】００１１
【補正方法】変更
【補正の内容】
【００１１】
上記した課題を解決するために、本発明では、中央に凸状の反射板が設けられた照明カバーに無電極ランプをネジ止めによって固定するようになされた照明装置において、照明カバーが、反射板を含む反射面の横断面形状が平坦な部分を有さない略椀状を成す反射部と、凸状の反射板から離れた位置の略椀状の反射面に立設されたネジ止めのための取付構造とを備える一方、無電極ランプの発光体にネジ止めされるコイル部が、自身を発光体にネジ止めするための第１の取付構造と、自身を照明カバーの取付構造にネジ止めするための第２の取付構造とを備えている。
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
中央に凸状の反射板が設けられた照明カバーに無電極ランプをネジ止めによって固定するようになされた照明装置であって、
上記照明カバーは、
上記中央に設けられた上記反射板を反射面の一部として含み、当該反射面の横断面形状が略椀状を成す反射部と、
上記凸状の反射板から離れた位置の反射面に立設されたネジ止めのための取付構造とを備え、
上記無電極ランプは、発光体と、当該発光体にネジ止めされるコイル部とを備え、
上記コイル部は、自身を上記発光体にネジ止めするための第１の取付構造と、自身を上記反射部の取付構造にネジ止めするための第２の取付構造とを備え、
上記第１の取付構造は、円環状を成す上記コイル部の外周面に一対として立設された第１の板状足部にネジ穴を設けた構造を有し、
上記第２の取付構造は、上記第１の板状足部が立設された外周面の位置から円周に沿って所定角度変位した位置の外周面に設けられ、上記第１の板状足部が立設された外周面よりも外側まで延設された第２の板状足部の先端にネジ穴を設けた構造を有し、
上記第１の板状足部および上記第２の板状足部は、上記コイル部の同じ方向に向けて設けられていることを特徴とする照明装置。
【請求項２】
上記第２の板状足部が備えるネジ穴の位置が、上記第１の板状足部が備えるネジ穴の位置よりも、上記コイル部の外周面からみて更に外側となるように構成されていることを特徴とする請求項１に記載の照明装置。
【手続補正２】
【補正対象書類名】明細書
【補正対象項目名】００１１
【補正方法】変更
【補正の内容】
【００１１】
上記した課題を解決するために、本発明では、中央に凸状の反射板が設けられた照明カバーに無電極ランプをネジ止めによって固定するようになされた照明装置において、照明カバーが、中央に設けられた反射板を反射面の一部として含み、当該反射面の横断面形状が略椀状を成す反射部と、凸状の反射板から離れた位置の反射面に立設されたネジ止めのための取付構造とを備える一方、無電極ランプの発光体にネジ止めされるコイル部が、自身を発光体にネジ止めするための第１の取付構造と、自身を反射部の取付構造にネジ止めするための第２の取付構造とを備えている。ここで、第１の取付構造は、円環状を成すコイル部の外周面に一対として立設された第１の板状足部にネジ穴を設けた構造を有する。また、第２の取付構造は、第１の板状足部が立設された外周面の位置から円周に沿って所定角度変位した位置の外周面に設けられ、第１の板状足部が立設された外周面よりも外側まで延設された第２の板状足部の先端にネジ穴を設けた構造を有する。さらに、第１の板状足部および第２の板状足部は、コイル部の同じ方向に向けて設けられている。